(57)【特許請求の範囲】
【請求項１】
浴槽の底面に取り付けられる口金と、この口金に着脱自在に取り付けられる栓とで形成され、上記の口金に浴槽内と追焚用の循環路とを連通させる接続部が形成された浴槽の排水栓であって、上記の栓が中空状に形成され、この栓を介して浴槽内と上記の循環路とが追焚時に連通され、又栓の底面に浴槽水の排水口が形成され、この排水口を栓の装着時に閉塞する止水弁を上記の口金が備えてなることを特徴とする浴槽の排水栓。
【請求項２】
請求項１記載の浴槽の排水栓であって、栓の周側面に浴槽水の流通孔が形成され、この栓の周側面が密着する口金のテーパー面に循環路の接続部が開口状に形成されたことを特徴とする浴槽の排水栓。
【請求項３】
請求項１記載の浴槽の排水栓であって、口金が止水弁を備えてなるのに代え、栓が止水弁を備えてなることを特徴とする浴槽の排水栓。
【請求項４】
請求項１乃至３の何れかに記載の浴槽の排水栓であって、止水弁が突起状に形成され、栓の排水口が嵌め付けられる上端部が上方に先細り状に形成されたことを特徴とする浴槽の排水栓。
【請求項５】
請求項１乃至４の何れかに記載の浴槽の排水栓であって、止水弁が自動開弁式に形成されたことを特徴とする浴槽の排水栓。
【請求項６】
請求項１乃至５の何れかに記載の浴槽の排水栓であって、口金の栓を囲む位置に、浴槽内に開口する開口部がリング状に形成され、この開口部に浴槽内と循環路の追焚湯の往き回路とを連通させる接続部が形成されたことを特徴とする浴槽の排水栓。
【請求項７】
請求項６記載の浴槽の排水栓であって、開口部がリング状の蓋を水平面上で回転自在に備え、この蓋に浴槽水の流出口が所定の範囲にわたって形成されたことを特徴とする浴槽の排水栓。
【請求項８】
請求項１乃至５の何れかに記載の浴槽の排水栓と、循環路の追焚湯の往き回路又は浴槽からの戻し回路の何れか一方と浴槽内とを連通させる接続器具とが、底面に離されて取り付けられたことを特徴とする浴槽。
【発明の詳細な説明】
【０００１】
【発明の属する技術分野】
本発明は、浴槽の排水栓に関し、更に詳しくは追焚機能付き浴槽の排水栓並びにこの排水栓を使用した浴槽に関するものである。
【０００２】
【従来の技術】
従来この種の排水栓としては、浴槽の底面に取り付ける口金と、この口金に着脱自在に取り付ける栓とで形成し、上記の口金に、浴槽内と追焚用の循環路とを連通させる接続部を形成したものがある（例えば特公平６ー５３１００号公報、実開昭６３ー１２８８７７号公報参照）。
【０００３】
【発明が解決しようとする課題】
ところでこの種の排水栓は、浴槽の底面に取り付けられ、浴槽の下に配管する循環用の管路と接続されるものであるから、浴槽の床下スペースを大きくとることができない現場であっても施工が可能になるよう、できるだけ小型且つ省スペースに形成されているのが望ましい。
【０００４】
しかるに従来品は、追焚用の循環路を接続する接続部が栓の嵌め付け箇所とは別個の独立したスペースに開口され、栓は通常の排水栓の場合と同様に、単に排水機能を持つのに過ぎなかった。従って従来品を使用すると、口金の寸法が大きくなるのを避けられず、床下スペースが広く必要になる、という問題点があった。
【０００５】
本発明は、このような従来品の問題点に鑑み、提案されたものである。
従って本発明の技術的課題は、栓及び栓の嵌め付け箇所を循環路の接続部と関連付け、できるだけ小型化、省スペース化できるよう形成した浴槽の排水栓並びにこの排水栓を備え、且つ循環路から浴槽内に戻された高温湯を直ぐに吸込むことがないよう形成した浴槽を提供することにある。
【０００６】
【課題を解決するための手段】
本発明は、上記の課題を解決するために、次のような技術的手段を採る。
【０００７】
即ち本発明は、図１に示されるように、浴槽１の底面１ａに取り付けられる口金２と、この口金２に着脱自在に取り付けられる栓３とで形成され、上記の口金２に浴槽１内と追焚用の循環路５とを連通させる接続部４ａが形成された浴槽１の排水栓であって、上記の栓３が中空状に形成され、この栓３を介して浴槽１内と上記の循環路５とが追焚時に連通され、又栓３の底面に浴槽水の排水口３ｂが形成され、この排水口３ｂを栓３の装着時に閉塞する止水弁７を上記の口金２が備えてなることを特徴とする（請求項１）。
【０００８】
ここで、栓３を介して浴槽１内と上記の循環路５とが追焚時に連通され、とは、具体的には図１等に示されるように、栓３の周側面に浴槽水の流通孔３ａが形成され、この栓３の周側面が密着する口金２のテーパー面２ａに循環路５の接続部４ａが開口状に形成されることで達成される（請求項２）。
【０００９】
この場合は、口金２の高さを低くできるから、これによればその分、小型、コンパクトな本発明品を提供できる、という利点がある。
【００１０】
又本発明は、口金２が止水弁７を備えてなるのに代え、図３、図４に示されるように、栓３が止水弁７を備えてなるのでも良い（請求項３）。
【００１１】
この場合は、口金２の排水経路２１から排水に障害となる止水弁７を除去できるから、排水作用を円滑化できる。なお本発明の場合、止水弁７の構造は任意であるが、この実施形態の止水弁７は、排水口３ｂに、上下動自在、且つ上下の鍔７１で脱落が防止される状態に取り付けられた本体部７２と、この本体部７２の軸心位置に配置され、本体部７２と相互に摺動自在に形成された軸部材７３とを備えてなる。この軸部材７３は、図４に示されるように、コイルバネ７４の弾発力で上部の止め輪７５が本体部７２の上面に係止されるよう下方に付勢されている。又この軸部材７３は、栓３の嵌め付け時にフランジ状の下端部７６が口金２の排水経路２１の中央位置に起立された杆７７の上端に当接するよう形成されている。
【００１２】
この実施形態の場合、栓３が口金２に嵌め付けられると、栓３の底面と本体部７２の下側の鍔７１とが密着し、その結果排水口３ｂが閉じられる。又栓３が口金２から抜かれると、コイルバネ７４が復元し、本体部７２の流路７８と排水口３ｂが連通し、栓３内の水やゴミが流れ出るものである。
【００１３】
又本発明の場合、止水弁７は、図５、図６に示されるように、突起状に形成され、栓３の排水口３ｂが嵌め付けられる上端部７９が上方に先細り状に形成されるのでも良い（請求項４）。
【００１４】
この場合は、止水弁７の構造を簡単化できるから、止水弁７、ひいては本発明品の製造、加工を容易化でき、コストを低廉化できる。又バネを伴わないから、バネの不具合等による故障の惧れを一掃でき、棒状であるから排水作用に対する支障もない。
【００１５】
又本発明は、図７〜図９に示されるように、止水弁７が自動開弁式に形成されるのでも良い（請求項５）。
【００１６】
この場合は、栓３を抜くために無理な姿勢をとる必要がないから、排水作業を容易化でき、その分、使い勝手が良くなる。ここで、止水弁７が自動開弁式に形成される、とは、自動で排水できる、ということを意味する。
【００１７】
具体的には、図示されるように、止水弁７を、図３、図４に示される実施形態の場合と同様に形成し、この止水弁７の軸部材７３をモータ等のアクチュエータで牽引することにより達成される。同図において、１０は軸部材７３に連結されたインナーケーブルであり、１１はこのインナーケーブル１０に外装されたアウターケーブルである。１２は、インナーケーブル１０を作動させるモータ等を備えた駆動部であり、１３は操作スイッチである。
【００１８】
この実施形態の場合は、上記の操作スイッチ１３を入れると、駆動部１２のモータが駆動し、インナーケーブル１０を牽引する。すると軸部材７３が下方に引かれ、止め輪７５によって本体部７２が下降する。この結果、図７に示される止水状態から、図８に示されるように、排水口３ｂが開口される。又排水口３ｂを閉じるときは、モータを逆回転させてインナーケーブル１０を押し出し、軸部材７３を押し上げて止水弁７の下側の鍔７１を、栓３の底面に密着させる。なお排水を短時間で行ないたい場合は、図９に示されるように、インナーケーブル１０との接続を解き、栓３を引き上げて操作する。
【００１９】
又本発明は、図１等に示されるように、口金２が栓３を囲む位置に、浴槽１内に開口するリング状の開口部２ｃを備え、この開口部２ｃに浴槽１内と循環路５の追焚湯の往き回路とを連通させる接続部４ｂが形成されると良い（請求項６）。
【００２０】
この場合は、口金２が浴槽水の吸込みと吐出作用の両方の機能を備えるから、この種浴槽１の部品取付工事に係る手間を簡単化、省力化できる。ここで、循環路５の追焚湯の往き回路とは、浴槽水を加熱、加温する熱源から浴槽１までの間の管路を意味する。
【００２１】
更にこの場合本発明は、図１０〜図１２に示されるように、開口部２ｃがリング状の蓋１４を水平面上で回転自在に備え、この蓋１４に浴槽水の流出口１４ａが所定の範囲にわたって形成されるのでも良い（請求項７）。
【００２２】
この場合は、加熱、加温した高温湯の流出方向を、蓋１４を回転操作することで簡単且つ自由に変えることができる。ここで、浴槽水の流出口１４ａが所定の範囲にわたって形成される、とは、高温湯を任意の方向に噴出させることができるのであれば、流出口１４ａの周方向における長さ、形状、個数等は自由である、ということを意味する。この実施形態では、流出口１４ａがスリット状に形成され、蓋１４の中心から周方向に９０度の範囲にわたって形成されている。
【００２３】
又本発明の浴槽としては、図１３〜図１５に示されるように、請求項１乃至５の何れかに記載の浴槽１の排水栓１５と、循環路５の追焚湯の往き回路又は浴槽１からの戻し回路の何れか一方と浴槽１内とを連通させる接続器具１６とが、底面１ａに離されて取り付けられたことを特徴とするものがある（請求項８）。
【００２４】
ここで、循環路５の追焚湯の往き回路又は浴槽１からの戻し回路の何れか一方、とは、排水栓１５に接続された循環路５とは別の回路が選択される、ということを意味し、具体的には排水栓１５に浴槽１からの戻し回路を接続した場合は、循環路５としての追焚湯の往き回路を接続器具１６に接続することで達成される。
【００２５】
【発明の実施の形態】
以下、本発明の好適な一実施形態を添付図面に従って説明する。
【００２６】
本発明は、図１等に示されるように、浴槽１の底面１ａに取り付けられる口金２と、この口金２に着脱自在に取り付けられる栓３とで形成されている。４ａは、浴槽１内と追焚用の循環路５とを連通させる接続部である。この接続部４ａは、口金２に形成されている。又上記の循環路５は、この実施形態では浴槽水を熱源に戻すための戻し回路である。
【００２７】
上記の栓３は、中空状に形成され、本発明はこの栓３を介して浴槽１内と上記の循環路５とが追焚時に連通されるよう形成されている。３ａは、栓３の周側面に周方向に一定の間隔をあけて丸孔状に形成された浴槽水の流通孔である。栓３の周側面は、口金２のテーパー面２ａに密着するよう形成されている。口金２は、流通孔３ａと対向するテーパー面２ａの位置が周方向にわたって凹まれ、環状溝２ｂに形成されている。上記の循環路５の接続部４ａは、この環状溝２ｂに開口状に形成されている。
【００２８】
３ｂは、浴槽水の排水口である。この排水口３ｂは、栓３の底面に、栓３と軸心を同一にして円形状に形成されている。栓３は、開口された上面にフィルター６が取り付けられ、上面、内部、流通孔３ａ及び排水口３ｂが連通状に形成されている。
【００２９】
又７は、排水口３ｂを、栓３の装着時に閉塞する止水弁である。上記の口金２は、この止水弁７を備えてなる。止水弁７は、この実施形態では栓３の底面に密着する円形状の弁体７ａと、この円形状の弁体７ａを上方に弾発するコイルスプリング７ｂとを備えてなる。円形状の弁体７ａは、基部７ｃに挿通された軸７ｄと共に上下動自在に形成されている。
【００３０】
又上記の口金２は、栓３を囲む位置に、浴槽１内に開口するリング状の開口部２ｃを備えて形成されている。この開口部２ｃには、浴槽１内と循環路５の追焚湯の往き回路とを連通させる接続部４ｂが開口形成されている。なお８はチェーンであり、９はこのチェーン８が取り付けられる針金状の線状部材である。
【００３１】
次にこの実施形態に係る本発明品の作用を説明する。
本発明品は、栓３が口金２に嵌め付けられると、排水口３ｂが止水弁７で塞がれる。具体的には、栓３が口金２のテーパー面２ａに沿って押し込まれると、栓３がコイルスプリング７ｂを圧縮させ、栓３の底面が弁体７ａと密着する結果、浴槽水の流出が防止される。
【００３２】
而して本発明の場合、浴槽水は、追焚時に栓３の上面からフィルター６を介して流入し、流通孔３ａから循環路５としての戻し回路を経て熱源に送られる。そしてこの浴槽水は、熱源で加温された後、この実施形態では循環路５としての追焚湯の往き回路から開口部２ｃを介して浴槽１内に戻される。
【００３３】
又本発明の場合、浴槽水の排水は、図２に示されるように、栓３を口金２から抜き取ることで行なうものである。栓３が口金２から抜き取られると、浴槽水は、止水弁７の弁体７ａの回りを経て、同図に矢示されるように排水される。又栓３が抜き取られると、弁体７ａは栓３の底面による押圧付勢状態が解除されるため、コイルスプリング７ｂの弾発力で上方に押し戻される。なおフィルター６を通過し、排水口３ｂの個所に堆積している砂等のゴミは、排水と共に流される。
【００３４】
次に本発明浴槽の一実施形態を、図１３〜図１５に従って説明する。上例と同一部材、同一箇所については同一番号を付し、詳しい説明は省略する。
【００３５】
この実施形態の本発明浴槽は、浴槽１の排水栓１５と、循環路５の追焚湯の往き回路と浴槽１内とを連通させる接続器具１６とを備え、両者が底面１ａに離されて取り付けられている。浴槽１の排水栓１５は、浴槽１の底面１ａに取り付けられる口金２と、この口金２に着脱自在に取り付けられる栓３とで形成され、上記の口金２に浴槽１内と循環路５としての戻し回路とを連通させる接続部４ａが形成されている。
【００３６】
上記の栓３は中空状に形成され、この栓３を介して浴槽１内と循環路５としての戻し回路とが追焚時に連通される。又栓３は底面に浴槽水の排水口３ｂが形成され、上記の口金２はこの排水口３ｂを栓３の装着時に閉塞する止水弁７を備えてなる。
【００３７】
又上記の接続器具１６は、図１４に示されるように、循環路５の追焚湯の往き回路が接続される接続部１６ａと、湯を浴槽１内に放散できるよう形成されたノズル部１６ｂとを備えて形成されている。このノズル部１６ｂと上記の接続部１６ａとは、連通されている。
【００３８】
この実施形態の本発明浴槽は、排水栓１５から湯が抜き取られ、加熱、加温された湯が接続器具１６のノズル部１６ｂから噴き出される。この場合、接続器具１６は排水栓１５から離された位置に取り付けられているから、これによると浴槽１内に戻された高温湯が排水栓１５から直ぐに吸込まれることがない。
【００３９】
【発明の効果】
以上説明したように本発明は、栓を中空状に形成し、この栓を介して浴槽内と循環路とを追焚時に連通させ、又栓の底面に浴槽水の排水口を形成し、この排水口を栓の装着時に閉塞する止水弁を口金が備えてなるものである。
【００４０】
従って本発明の場合は、栓と循環路の接続部とが連絡付けられ、栓の嵌め付け箇所以外に上記接続部の開口スペースを必要としないから、これによれば小型化、省スペース化を図ることができる。
【００４１】
又本発明浴槽は、接続器具が排水栓から離されて底面に取り付けられているから、浴槽内に戻された高温湯が排水栓から直ぐに吸込まれることを防止できる。
【図面の簡単な説明】
【図１】本発明排水栓の好適な一実施形態を示す使用状態時の断面図である。
【図２】同上排水栓の作用を説明するための断面図である。
【図３】同上排水栓の他の実施形態を示す断面図である。
【図４】図３の実施形態の作用を説明するための断面図である。
【図５】同上排水栓の他の実施形態を示す断面図である。
【図６】図５の実施形態の作用を説明するための断面図である。
【図７】同上排水栓の他の実施形態を示す要部構成図である。
【図８】図７の実施形態の作用を説明するための要部断面図である。
【図９】図７の実施形態の作用を説明するための要部断面図である。
【図１０】同上排水栓の他の実施形態を示す要部断面図である。
【図１１】図１０の実施形態の要部平面図である。
【図１２】図１０の実施形態の蓋を示す要部斜視図である。
【図１３】本発明浴槽の好適な一実施形態を示す側面図である。
【図１４】図１３の本発明浴槽の要部断面図である。
【図１５】図１３の本発明浴槽の要部断面図である。
【符号の説明】
１    浴槽
１ａ  浴槽の底面
２    口金
３    栓
３ａ  流通孔
３ｂ  排水口
４ａ  接続部
５    循環路
７    止水弁
【図１】
0004337194.tif 000002
【図２】
0004337194.tif 000003
【図３】
0004337194.tif 000004
【図４】
0004337194.tif 000005
【図５】
0004337194.tif 000006
【図６】
0004337194.tif 000007
【図７】
0004337194.tif 000008
【図８】
0004337194.tif 000009
【図９】
0004337194.tif 000010
【図１０】
0004337194.tif 000011
【図１１】
0004337194.tif 000012
【図１２】
0004337194.tif 000013
【図１３】
0004337194.tif 000014
【図１４】
0004337194.tif 000015
【図１５】
0004337194.tif 000016